(57)【要約】      （修正有）【課題】異なる無線基地局ｅＮＢ配下のセル間におけるハンドオーバ手順において「ＲＲＣ  ｄｉｖｅｒｓｉｔｙ」を実現する際に適切な復号処理を行うことによって「ＨＯ  ｃｏｍｍａｎｄ」を取得する。【解決手段】移動局ＵＥは、セル＃１かセル＃１０にハンドオーバする際に、ＰＤＣＣＨ/Ｅ-ＰＤＣＣＨを介して、無線基地局ｅＮＢ＃１及び無線基地局ｅＮＢ＃１０から、ＤＣＩを受信するように構成されている受信部と、受信部によって受信されたＤＣＩによって指定されている全てのＰＤＳＣＨに対して復号を試みるように構成されている復号部とを具備する。【選択図】図１
2014220689.tif 000002
【特許請求の範囲】
【請求項１】
移動局であって、
第１無線基地局配下の第１セルから第２無線基地局配下の第２セルにハンドオーバする際に、物理下り制御チャネルを介して、該第１無線基地局及び該第２無線基地局から、スケジューリング情報を受信するように構成されている受信部と、
前記受信部によって受信された前記スケジューリング情報によって指定されている全ての物理下り共有チャネルに対して復号を試みるように構成されている復号部とを具備することを特徴とする移動局。
【請求項２】
移動局であって、
第１無線基地局配下の第１セルから第２無線基地局配下の第２セルにハンドオーバする際に、物理下り制御チャネルを介して、該第１無線基地局及び該第２無線基地局から、スケジューリング情報を受信するように構成されている受信部と、
前記受信部によって受信された前記スケジューリング情報によって指定されている物理下り共有チャネルのうち、所定の優先度ポリシーに従って選択された一部の物理下り共有チャネルに対してのみ復号を試みるように構成されている復号部とを具備することを特徴とする移動局。
【請求項３】
前記受信部は、ネットワークから、前記所定の優先度ポリシーを取得するように構成されていることを特徴とする請求項１に記載の移動局。
【請求項４】
前記受信部は、ＲＲＣコネクションの設定処理において、前記所定の優先度ポリシーを取得するように構成されていることを特徴とする請求項２に記載の移動局。
【請求項５】
前記復号部は、前記所定の優先度ポリシーに従って、前記第２無線基地局からのスケジューリング情報によって指定されている物理下り共有チャネルよりも、前記第１無線基地局からのスケジューリング情報によって指定されている物理下り共有チャネルに対して優先的に復号を試みるように構成されていることを特徴とする請求項１乃至４のいずれか一項に記載の移動局。
【請求項６】
前記復号部は、前記所定の優先度ポリシーに従って、前記物理下り制御チャネルの個別サーチスペース内に配置されているスケジューリング情報によって指定されている物理下り共有チャネルよりも、該物理下り制御チャネルの共通サーチスペース内に配置されているスケジューリング情報によって指定されている物理下り共有チャネルに対して優先的に復号を試みるように構成されていることを特徴とする請求項１乃至４のいずれか一項に記載の移動局。
【請求項７】
前記復号部は、前記所定の優先度ポリシーに従って、アグリゲーションレベルが高い方の前記物理下り共有チャネルを介して受信されたスケジューリング情報によって指定されている物理下り共有チャネルに対して優先的に復号を試みるように構成されていることを特徴とする請求項１乃至４のいずれか一項に記載の移動局。
【請求項８】
前記復号部は、前記所定の優先度ポリシーに従って、拡張された物理下り制御チャネルを介して受信されたスケジューリング情報によって指定されている物理下り共有チャネルよりも、通常の物理下り制御チャネルを介して受信されたスケジューリング情報によって指定されている物理下り共有チャネルに対して優先的に復号を試みるように構成されていることを特徴とする請求項１乃至４のいずれか一項に記載の移動局。
【請求項９】
前記復号部は、前記所定の優先度ポリシーに従って、既に受信しているＭＡＣ-ＳＤＵ/ＲＬＣ-ＳＤＵのデータサイズが多い方の前記物理下り共有チャネルを介して受信されたスケジューリング情報によって指定されている物理下り共有チャネルに対して優先的に復号を試みるように構成されていることを特徴とする請求項１乃至４のいずれか一項に記載の移動局。
【請求項１０】
ネットワークに対して、同時に処理可能なスケジューリング情報の数を示す能力情報を通知するように構成されている送信部を具備することを特徴とする請求項１乃至９のいずれか一項に記載の移動局。
【発明の詳細な説明】
【技術分野】
【０００１】
本発明は、移動局に関する。
【背景技術】
【０００２】
ＬＴＥ（Ｌｏｎｇ  Ｔｅｒｍ  Ｅｖｏｌｕｔｉｏｎ）方式において、「ＲＲＣ_Ｃｏｎｎｅｃｔｅｄ状態」の移動局ＵＥがセル境界を跨いで移動する際には、移動局ＵＥに常に適切なセルで通信を行わせるために、ハンドオーバ手順が行われるように構成されている。
【０００３】
しかしながら、同一周波数のセル間においてハンドオーバ手順が行われる場合には、移動局ＵＥは、周辺セルからの干渉によって、ハンドオーバ元セルにおいて「ＨＯ  ｃｏｍｍａｎｄ」を受信することができずに、かかるハンドオーバ手順が失敗してしまうことが懸念されている（図５（ａ）参照）。
【０００４】
そこで、図５（ｂ）に示すように、ハンドオーバ元セルだけではなくハンドオーバ先セルからも「ＨＯ  ｃｏｍｍａｎｄ」を送信することで、移動局ＵＥが「ＨＯ  ｃｏｍｍａｎｄ」を受信する確率を高めてハンドオーバ手順の失敗を抑制する制御（ＲＲＣ  ｄｉｖｅｒｓｉｔｙ）が提案されている（非特許文献１参照）。
【０００５】
ここで、「ＲＲＣ  ｄｉｖｅｒｓｉｔｙ」は、下りリンクにおけるＣｏＭＰ送受信（Ｃｏｏｒｄｉｎａｔｅｄ  Ｍｕｌｔｉ-Ｐｏｉｎｔ  ｔｒａｎｓｍｉｓｓｉｏｎ/ｒｅｃｅｐｔｉｏｎ、マルチポイント協調送受信）によって実現することができる。
【０００６】
なお、下りリンクにおけるＣｏＭＰ送受信は、複数のＴＰ（Ｔｒａｎｓｍｉｓｓｉｏｎ  Ｐｏｉｎｔ）から移動局ＵＥに対して、同一或いは異なるデータを送信することで、下りリンクにおけるスループットを向上させる技術である。
【先行技術文献】
【非特許文献】
【０００７】
【非特許文献１】３ＧＰＰ寄書Ｒ２-１３１２１１
【発明の概要】
【発明が解決しようとする課題】
【０００８】
現状、下りリンクにおけるＣｏＭＰ送受信は、同一の無線基地局ｅＮＢ配下のセルでのみ実現可能である。
【０００９】
したがって、図６に示すように、異なる無線基地局ｅＮＢ配下のセル間におけるハンドオーバ手順では、「ＲＲＣ  ｄｉｖｅｒｓｉｔｙ」を実現することができないという問題点があった。
【００１０】
具体的には、従来のＬＴＥ方式では、異なる無線基地局ｅＮＢ配下のセル間におけるハンドオーバ手順では「ＲＲＣ  ｄｉｖｅｒｓｉｔｙ」を実現するに際して、移動局ＵＥは、異なる無線基地局ｅＮＢから別々のスケジューリング情報（ＤＣＩ：ＤＬ  Ｃｏｎｔｒｏｌ  Ｉｎｆｏｒｍａｔｉｏｎ）を受信する場合、どのようにして復号処理を行い「ＨＯ  ｃｏｍｍａｎｄ」を取得するべきかについて規定されていないという問題点があった。
【００１１】
そこで、本発明は、上述の課題に鑑みてなされたものであり、異なる無線基地局ｅＮＢ配下のセル間におけるハンドオーバ手順において「ＲＲＣ  ｄｉｖｅｒｓｉｔｙ」を実現する際に適切な復号処理を行うことによって「ＨＯ  ｃｏｍｍａｎｄ」を取得することができる移動局を提供することを目的とする。
【課題を解決するための手段】
【００１２】
本発明の第１の特徴は、移動局であって、第１無線基地局配下の第１セルから第２無線基地局配下の第２セルにハンドオーバする際に、物理下り制御チャネルを介して、該第１無線基地局及び該第２無線基地局から、スケジューリング情報を受信するように構成されている受信部と、前記受信部によって受信された前記スケジューリング情報によって指定されている全ての物理下り共有チャネルに対して復号を試みるように構成されている復号部とを具備することを要旨とする。
【００１３】
本発明の第２の特徴は、移動局であって、第１無線基地局配下の第１セルから第２無線基地局配下の第２セルにハンドオーバする際に、物理下り制御チャネルを介して、該第１無線基地局及び該第２無線基地局から、スケジューリング情報を受信するように構成されている受信部と、前記受信部によって受信された前記スケジューリング情報によって指定されている物理下り共有チャネルのうち、所定の優先度ポリシーに従って選択された一部の物理下り共有チャネルに対してのみ復号を試みるように構成されている復号部とを具備することを要旨とする。
【発明の効果】
【００１４】
以上説明したように、本発明によれば、異なる無線基地局ｅＮＢ配下のセル間におけるハンドオーバ手順において「ＲＲＣ  ｄｉｖｅｒｓｉｔｙ」を実現する際に適切な復号処理を行うことによって「ＨＯ  ｃｏｍｍａｎｄ」を取得することができる移動局を提供することができる。
【図面の簡単な説明】
【００１５】
【図１】本発明の第１の実施形態に係る移動通信システムの全体構成を説明するための図である。
【図２】本発明の第１の実施形態に係る移動局ＵＥの機能ブロック図である。
【図３】本発明の第１の実施形態に係る移動局ＵＥの動作を示すフローチャートである。
【図４】本発明の変更例１に係る移動局ＵＥの動作を示すフローチャートである。
【図５】従来技術を説明するための図である。
【図６】従来技術を説明するための図である。
【発明を実施するための形態】
【００１６】
（本発明の第１の実施形態に係る移動通信システム）
図１乃至図３を参照して、本発明の第１の実施形態に係る移動通信システムについて説明する。
【００１７】
図１に示すように、本実施形態に係る移動通信システムは、セル＃１を管理する無線基地局ｅＮＢ＃１と、セル＃１０を管理する無線基地局ｅＮＢ＃１０とを具備している。
【００１８】
セル＃１のカバーエリア及びセル＃１０のカバーエリアは、少なくとも一部で地理的に重複するように構成されている。ここで、セル＃１及びセル＃１０は、同一周波数のセルである。
【００１９】
例えば、セル＃１は、マクロセル（Ｍａｃｒｏ  ｃｅｌｌ）であり、セル＃１０は、ファントムセル（Ｐｈａｎｔｏｍ  ｃｅｌｌ）等のスモールセル（Ｓｍａｌｌ  ｃｅｌｌ）であってもよい。
【００２０】
また、本実施形態に係る移動通信システムでは、下りリンクにおけるＣｏＭＰは、無線基地局ｅＮＢ＃１配下のセル＃１と無線基地局ｅＮＢ＃１０配下のセル＃１０との間においても実現され得るように構成されている。
【００２１】
なお、本実施形態では、セル＃１に接続している移動局ＵＥがセル＃１０にハンドオーバすることを想定して説明を行うこととする。
【００２２】
図２に示すように、本実施形態に係る移動局ＵＥは、受信部１１と、復号部１２と、送信部１３とを具備している。
【００２３】
受信部１１は、無線基地局ｅＮＢ＃１や無線基地局ｅＮＢ＃１０から各種信号を受信するように構成されている。
【００２４】
例えば、移動局ＵＥが、セル＃１からセル＃１０にハンドオーバする際に、受信部１１は、ＰＤＣＣＨ/Ｅ-ＰＤＣＣＨを介して、無線基地局ｅＮＢ＃１及び無線基地局ｅＮＢ＃１０から、ＤＣＩを受信するように構成されている。
【００２５】
復号部１２は、受信部１１によって受信されたＤＣＩによって指定されている全てのＰＤＳＣＨに対して復号を試みるように構成されている。なお、かかる復号処理に成功した場合に、無線基地局ｅＮＢ＃１及び無線基地局ｅＮＢ＃１０によって送信された「ＨＯ  ｃｏｍｍａｎｄ」が取得される。
【００２６】
送信部１３は、無線基地局ｅＮＢ＃１及び無線基地局ｅＮＢ＃１０に対して各種信号を送信するように構成されている。
【００２７】
例えば、送信部１３は、ネットワーク（例えば、無線基地局ｅＮＢ＃１）に対して、同時に処理可能なＤＣＩの数を示す能力情報（例えば、「ＵＥ  Ｃａｐａｂｉｌｉｔｙ」や「ＵＥ  Ｃａｔｅｇｏｒｙ」等）を通知するように構成されていてもよい。
【００２８】
以下、図３を参照して、本実施形態に係る移動通信システムの動作について、具体的には、本実施形態に係る移動通信システムにおいて、セル＃１からセル＃１０にハンドオーバする際の移動局ＵＥの動作について説明する。
【００２９】
図３に示すように、ステップＳ１０１において、移動局ＵＥは、無線基地局ｅＮＢ＃１及び無線基地局ｅＮＢ＃１０から、ＰＤＣＣＨ/Ｅ-ＰＤＣＣＨを介して、ＤＣＩを取得する。
【００３０】
ステップＳ１０２において、移動局ＵＥは、取得したＤＣＩによって指定されている全てのＰＤＳＣＨに対して復号を試みる。
【００３１】
（変更例１）
以下、図４を参照して、本発明の変更例１に係る移動通信システムについて、上述の第１の実施形態に係る移動通信システムとの相違点に着目して説明する。
【００３２】
本変更例１に係る移動通信システムにおいて、復号部１２は、受信部１１によって受信されたＤＣＩによって指定されているＰＤＳＣＨのうち、所定の優先度ポリシーに従って選択された一部のＰＤＳＣＨに対してのみ復号を試みるように構成されている。
【００３３】
ここで、受信部１１は、ネットワーク（例えば、無線基地局ｅＮＢ＃１や無線基地局ｅＮＢ＃１０や移動管理ノードＭＭＥ等）から、上述の所定の優先度ポリシーを取得するように構成されていてもよい。
【００３４】
例えば、受信部１１は、ＲＲＣコネクションの設定処理（ＲＲＣ  ｃｏｎｎｅｃｔｉｏｎ  ｅｓｔａｂｌｉｓｈｍｅｎｔ手順）において、上述の所定の優先度ポリシーを取得するように構成されていてもよい。
【００３５】
例えば、復号部１２は、上述の所定の優先度ポリシーに従って、無線基地局ｅＮＢ＃１０からのＤＣＩによって指定されているＰＤＳＣＨよりも、無線基地局ｅＮＢ＃１からのＤＣＩによって指定されているＰＤＳＣＨに対して優先的に復号を試みるように構成されていてもよい。
【００３６】
或いは、復号部１２は、上述の所定の優先度ポリシーに従って、ＰＤＣＣＨのＵＥ-Ｓｐｅｃｉｆｉｃ-ＳＳ（Ｓｅａｒｃｈ  Ｓｐａｃｅ）内に配置されているＤＣＩによって指定されているＰＤＳＣＨよりも、ＰＤＣＣＨのＣｏｍｍｏｎ-ＳＳ内に配置されているＤＣＩによって指定されているＰＤＳＣＨに対して優先的に復号を試みるように構成されていてもよい。
【００３７】
或いは、復号部１２は、上述の所定の優先度ポリシーに従って、アグリゲーションレベル（Ａｇｇｒｅｇａｔｉｏｎ  Ｌｅｖｅｌ）が高い方のＰＤＣＣＨを介して受信されたＤＣＩによって指定されているＰＤＳＣＨに対して優先的に復号を試みるように構成されていてもよい。
【００３８】
移動局ＵＥは、自己宛ての制御信号を検出するために、ＰＤＣＣＨ/Ｅ-ＰＤＣＣＨ内のＳＳをモニタし、ＳＳ内のどの区画に、自己宛ての制御信号が入っているかについて探索する。かかる区画の各々は、「ＰＤＣＣＨ  ｃａｎｄｉｄａｔｅ」と呼ばれ、１つの「ＰＤＣＣＨ  ｃａｎｄｉｄａｔｅ」は、１つ又は複数のＣＣＥ（Ｃｏｎｔｒｏｌ  Ｃｈａｎｎｅｌ  Ｅｌｅｍｅｎｔ）で構成されている。この「ＰＤＣＣＨ  ｃａｎｄｉｄａｔｅｓ」内のＣＣＥの数が、アグリゲーションレベルと呼ばれている。
【００３９】
或いは、復号部１２は、上述の所定の優先度ポリシーに従って、Ｅ-ＰＤＣＣＨ（Ｅｎｈａｎｃｅｄ-ＰＤＣＣＨ）を介して受信されたＤＣＩによって指定されているＰＤＳＣＨよりも、ＰＤＣＣＨを介して受信されたＤＣＩによって指定されているＰＤＳＣＨに対して優先的に復号を試みるように構成されていてもよい。
【００４０】
或いは、復号部１２は、既に受信しているＭＡＣ-ＳＤＵ/ＲＬＣ-ＳＤＵのデータサイズが多い方のＰＤＣＣＨを介して受信されたＤＣＩによって指定されているＰＤＳＣＨに対して優先的に復号を試みるように構成されていてもよい。
【００４１】
以下、図４を参照して、本変更例１に係る移動通信システムの動作について、具体的には、本変更例１に係る移動通信システムにおいて、セル＃１からセル＃１０にハンドオーバする際の移動局ＵＥの動作について説明する。
【００４２】
図４に示すように、ステップＳ２０１において、移動局ＵＥは、無線基地局ｅＮＢ＃１及び無線基地局ｅＮＢ＃１０から、ＰＤＣＣＨ/Ｅ-ＰＤＣＣＨを介して、ＤＣＩを取得する。
【００４３】
ステップＳ２０２において、移動局ＵＥは、取得したＤＣＩによって指定されているＰＤＳＣＨのうち、所定の優先度ポリシーに従って選択された一部のＰＤＳＣＨに対してのみ復号を試みる。
【００４４】
以上に述べた本実施形態の特徴は、以下のように表現されていてもよい。
【００４５】
本実施形態の第１の特徴は、移動局ＵＥであって、無線基地局ｅＮＢ＃１（第１無線基地局）配下のセル＃１（第１セル）から無線基地局ｅＮＢ＃１０（第２無線基地局）配下のセル＃１０（第２セル）にハンドオーバする際に、ＰＤＣＣＨ/Ｅ-ＰＤＣＣＨ（物理下り制御チャネル）を介して、無線基地局ｅＮＢ＃１及び無線基地局ｅＮＢ＃１０から、ＤＣＩ（スケジューリング情報）を受信するように構成されている受信部１１と、受信部１１によって受信されたＤＣＩによって指定されている全てのＰＤＳＣＨ（物理下り共有チャネル）に対して復号を試みるように構成されている復号部１２とを具備することを要旨とする。
【００４６】
かかる特徴によれば、復号部１２が、受信部１１によって受信されたＤＣＩによって指定されている全てのＰＤＳＣＨに対して復号を試みるように構成されているため、移動局ＵＥは、セル＃１からセル＃１０へのハンドオーバ手順において、無線基地局ｅＮＢ＃１及び無線基地局ｅＮＢ＃１０によって別々に送信された同一の「ＨＯ  ｃｏｍｍａｎｄ」を確実に取得することができる。
【００４７】
本実施形態の第２の特徴は、移動局ＵＥであって、無線基地局ｅＮＢ＃１配下のセル＃１から無線基地局ｅＮＢ＃１０配下のセル＃１０にハンドオーバする際に、ＰＤＣＣＨ/Ｅ-ＰＤＣＣＨを介して、無線基地局ｅＮＢ＃１及び無線基地局ｅＮＢ＃１０から、ＤＣＩを受信するように構成されている受信部１１と、受信部１１によって受信されたＤＣＩによって指定されているＰＤＳＣＨのうち、所定の優先度ポリシーに従って選択された一部のＰＤＳＣＨに対してのみ復号を試みるように構成されている復号部１２とを具備することを要旨とする。
【００４８】
かかる特徴によれば、一度に復号するＰＤＳＣＨの数を限定することで、移動局ＵＥにおけるバッテリ消費を低減しつつ、移動局ＵＥにおける装置及び回路構成の複雑化を回避することができる。
【００４９】
本実施形態の第２の特徴において、受信部１１は、ネットワークから、上述の所定の優先度ポリシーを取得するように構成されていてもよい。
【００５０】
かかる特徴によれば、移動局ＵＥは、ネットワークポリシーに従って、一度に復号するＰＤＳＣＨの数を限定することができる。
【００５１】
本実施形態の第２の特徴において、受信部１１は、ＲＲＣコネクションの設定処理において、上述の所定の優先度ポリシーを取得するように構成されていてもよい。
【００５２】
かかる特徴によれば、移動局ＵＥは、既存のＲＣコネクションの設定処理を活用して、述の所定の優先度ポリシーを取得することができる。
【００５３】
本実施形態の第２の特徴において、復号部１２は、上述の所定の優先度ポリシーに従って、無線基地局ｅＮＢ＃１０からのＤＣＩによって指定されているＰＤＳＣＨよりも、無線基地局ｅＮＢ＃１からのＤＣＩによって指定されているＰＤＳＣＨに対して優先的に復号を試みるように構成されていてもよい。
【００５４】
一般的に、ハンドオーバ元無線基地局ｅＮＢにおいて移動局ＵＥに対して「ＨＯ  ｃｏｍｍａｎｄ」が届くようにパラメータが設定されているため、移動局ＵＥは、ハンドオーバ先無線基地局ｅＮＢよりもハンドオーバ元無線基地局ｅＮＢからの方が「ＨＯ  ｃｏｍｍａｎｄ」を受信する確率が高い。したがって、かかる特徴によれば、一度に復号するＰＤＳＣＨの数を限定しつつ、移動局ＵＥによる「ＨＯ  ｃｏｍｍａｎｄ」を受信する確率を向上させることができる。
【００５５】
本実施形態の第２の特徴において、復号部１２は、上述の所定の優先度ポリシーに従って、ＰＤＣＣＨのＵＥ-Ｓｐｅｃｉｆｉｃ-ＳＳ（個別サーチスペース）内に配置されているＤＣＩによって指定されているＰＤＳＣＨよりも、ＰＤＣＣＨのＣｏｍｍｏｎ-ＳＳ（共通サーチスペース）内に配置されているＤＣＩによって指定されているＰＤＳＣＨに対して優先的に復号を試みるように構成されていてもよい。
【００５６】
一般的に、ＵＥ-Ｓｐｅｃｉｆｉｃ-ＳＳよりもＣｏｍｍｏｎ-ＳＳの方が、誤検出確率が低くなる傾向にある。したがって、かかる特徴によれば、一度に復号するＰＤＳＣＨの数を限定しつつ、移動局ＵＥによる「ＨＯ  ｃｏｍｍａｎｄ」を受信する確率を向上させることができる。
【００５７】
本実施形態の第２の特徴において、復号部１２は、上述の所定の優先度ポリシーに従って、アグリゲーションレベルが高い方のＰＤＣＣＨを介して受信されたＤＣＩによって指定されているＰＤＳＣＨに対して優先的に復号を試みるように構成されていてもよい。
【００５８】
一般的に、アグリゲーションレベルが高い方が、無線品質が良いため、移動局ＵＥにおいて「ＨＯ  ｃｏｍｍａｎｄ」を受信できる確率が高い。したがって、かかる特徴によれば、一度に復号するＰＤＳＣＨの数を限定しつつ、移動局ＵＥによる「ＨＯ  ｃｏｍｍａｎｄ」を受信する確率を向上させることができる。
【００５９】
本実施形態の第２の特徴において、復号部１２は、上述の所定の優先度ポリシーに従って、Ｅ-ＰＤＣＣＨ（拡張された物理下り制御チャネル）を介して受信されたＤＣＩによって指定されているＰＤＳＣＨよりも、ＰＤＣＣＨ（通常の物理下り制御チャネル）を介して受信されたＤＣＩによって指定されているＰＤＳＣＨに対して優先的に復号を試みるように構成されていてもよい。
【００６０】
一般的に、Ｅ-ＰＤＣＣＨよりもＰＤＣＣＨの方が、受信品質が良いため、移動局ＵＥにおいて「ＨＯ  ｃｏｍｍａｎｄ」を受信できる確率が高い。したがって、かかる特徴によれば、一度に復号するＰＤＳＣＨの数を限定しつつ、移動局ＵＥによる「ＨＯ  ｃｏｍｍａｎｄ」を受信する確率を向上させることができる。
【００６１】
本実施形態の第２の特徴において、復号部１２は、上述の所定の優先度ポリシーに従って、既に受信しているＭＡＣ-ＳＤＵ/ＲＬＣ-ＳＤＵのデータサイズが多い方のＰＤＣＣＨを介して受信されたＤＣＩによって指定されているＰＤＳＣＨに対して優先的に復号を試みるように構成されていてもよい。
【００６２】
一般的に、既にレイヤ２（ＲＬＣレイヤ/ＭＡＣレイヤ）で受信されているデータ量（ＲＬＣ-ＳＤＵ/ＭＡＣ-ＳＤＵ）が多い方が、元の「ＨＯ  ｃｏｍｍａｎｄ」を再構築できる確率が高いと考えられる。したがって、かかる特徴によれば、一度に復号するＰＤＳＣＨの数を限定しつつ、移動局ＵＥによる「ＨＯ  ｃｏｍｍａｎｄ」を受信する確率を向上させることができる。
【００６３】
本実施形態の第２の特徴において、ネットワークに対して、同時に処理可能なＤＣＩの数を示す能力情報を通知するように構成されている送信部１３を具備してもよい。
【００６４】
かかる特徴によれば、ネットワークは、移動局ＵＥにおける復号処理能力を考慮して、上述の所定の優先度ポリシーやＤＣＩの送信方法について決定することができる。
【００６５】
なお、上述の移動局ＵＥや無線基地局ｅＮＢ＃１/ｅＮＢ＃１０の動作は、ハードウェアによって実施されてもよいし、プロセッサによって実行されるソフトウェアモジュールによって実施されてもよいし、両者の組み合わせによって実施されてもよい。
【００６６】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００６７】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動局ＵＥや無線基地局ｅＮＢ＃１/ｅＮＢ＃１０内に設けられていてもよい。また、かかる記憶媒体及びプロセッサは、ディスクリートコンポーネントとして移動局ＵＥや無線基地局ｅＮＢ＃１/ｅＮＢ＃１０内に設けられていてもよい。
【００６８】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００６９】
ｅＮＢ＃１/ｅＮＢ＃１０…無線基地局
ＵＥ…移動局
１１…受信部
１２…復号部
１３…送信部
【図１】
2014220689.tif 000003
【図２】
2014220689.tif 000004
【図３】
2014220689.tif 000005
【図４】
2014220689.tif 000006
【図５】
2014220689.tif 000007
【図６】
2014220689.tif 000008